(57)【特許請求の範囲】
【請求項１】
表裏いずれか一方の面に糊を付けた紙片を備え、
その紙片は、
直交する２辺をなす２個の短冊状の部材と、
それら２個の部材の遊端を連結辺で連結して形成される略三角形の部材と、
前記連結辺から外方へ伸びると共に前記連結辺を底辺とする略台形に形成され前記２個の短冊状の部材は折らずに折り曲げることのできる折返し代と、を備え、
前記糊を付けた面を内側にして前記折返し代を折り曲げた状態で被貼着物の上に貼着され、前記折返し代と被貼着物との間に形成される差込み口へ差し込まれた差込み物を固定することを特徴とする粘着クリップ。
【請求項２】
前記直交する２辺をなす２個の短冊状の部材の遊端が、連結辺との連結部を越えて長く作られていることを特徴とする請求項１記載の粘着クリップ。
【発明の詳細な説明】
【０００１】
【産業上の利用分野】
この発明は、箱や封筒に貼着され、それに付属するもの、例えば清め塩や挨拶状はがきを固定することができる粘着クリップに関するものである。
【０００２】
【従来の技術】
従来、粘着式のペーパークリップは粘着材を塗布した紙で作られており、予め箱や書籍などに貼着しておいて、これに設けたスリットに、他の紙片の角部を挿し込んで外れないように、固定しておくものである（たとえば、特開平１１−８２４６７号公報）。
【０００３】
【発明が解決しようとする課題】
しかしながら、従来のペーパークリップは、名刺や清め塩のような軽い四角形の紙や袋の角部を差し込んで係止することを前提に作られているため、スリットの大きさと差し込まれる紙や袋の大きさが整合していないと、位置決めが正確に行えないことがある他、運搬すると係止したものが傾いてしまったり、外れてしまったりする不具合があった。
【０００４】
【課題を解決するための手段】
請求項１記載の粘着クリップは、表裏いずれか一方の面に糊を付けた紙片を備え、その紙片は、直交する２辺をなす２個の短冊状の部材と、それら２個の部材の遊端を連結辺で連結して形成される略三角形の部材と、前記連結辺から外方へ伸びると共に前記連結辺を底辺とする略台形に形成され前記２個の短冊状の部材は折らずに折り曲げることのできる折返し代と、を備え、前記糊を付けた面を内側にして前記折返し代を折り曲げた状態で被貼着物の上に貼着され、前記折返し代と被貼着物との間に形成される差込み口へ差し込まれた差込み物を固定する。
【０００５】
請求項２記載の粘着クリップは、請求項１記載の粘着クリップにおいて、前記直交する２辺をなす２個の短冊状の部材の遊端が、連結辺との連結部を越えて長く作られている。
【０００６】
【作用】
粘着クリップの粘着面を覆う剥離紙を剥がした状態から、連結辺に連なる略台形の折返し代を粘着面側へ折り曲げると、折返し代が連結辺の裏面に粘着し、連結辺の裏面に粘着性のない部分ができる。この状態の粘着クリップを被貼着物の上に貼ると、先に折返した折返し代の紙厚のため、折返し代の先に三角形の粘着面が残される。
【０００７】
【発明の実施の形態】
以下、図示した一実施態様によって本願の発明を説明する。図１中、１０はこの発明に係る粘着クリップである。粘着クリップ１０は被貼着物１１である箱の上に貼着され、そこには差込み物１２として名刺や、香典返しの清め塩などが差し込まれ、粘着係止される。
【０００８】
粘着クリップ１０は図３（ａ）で示すように、一方の面に接着材あるいは粘着材からなる糊を付けた大きな台紙１５の中に切断線によって分離可能に連結されており、使用の都度、分離して使用される。台紙１５は紙や合成樹脂の薄膜（以下、単に紙片という）で作られている。１６は台紙１５をなす紙片の一側に作られた粘着面を保護するための剥離紙である。
【０００９】
粘着クリップ１０をなす紙片は図２で示すように、直交する２個の辺２１、２２と、その２辺の遊端間を連結する連結辺２３とを有し、全体として大略三角形をなしている。各辺２１、２２は短冊状の部材２１ａ、２２ａを一端で直交させて連結した形をしており、他端が連結辺２３によって、相互に連結されるとともに、三角形の部材２３ａが形成される。
【００１０】
前記連結辺２３には、外方へ伸びる折返し代２４が連続して設けられている。折返し代２４は上辺２４ａと両側の斜辺２４ｂ、２４ｂとをもつ台形をなし、その斜辺２４ｂ、２４ｂと前記短冊状の部材２１ａ、２２ａとの間に、その縁に沿って切り込み２５、２５が設けられている。なお、連結辺２３には折り曲げが容易なように、折り曲げ加工が施してある。
【００１１】
もっとも、図２（ａ）において、短冊状の部材２１ａ、２２ａの斜辺２４ｂから突出した部分の存在は差込み物１２の位置決めをする上で便利であるが、必ずしも必要なものではなく、同図（ｂ）のように、短冊状の部材２１ａ、２２ａと斜辺２４ｂ、２４ｂとを同一線上に配してもよく、これによって台紙１５上に生じる紙面の無駄を減らすことができる。
【００１２】
次に、上記実施粘着クリップ１０の使用方法を説明する。まず、図３（ａ）で示すように、台紙１５から個々の粘着クリップ１０を分離する。裏面に粘着している剥離紙１６を分離し、同図（ｂ）、（ｃ）で示すように、粘着面を内側にして折返し代２４を折り曲げる。これによって折返し代２４は斜辺２４ｂの部分が、短冊状の部材２１ａ、２２ａの一部と、それら短冊状の部材２１ａ、２２ａの間にある三角形の部材２３ａの下半分を覆い、その部分の粘着材が作用しなくなる。
【００１３】
次に、この状態の粘着クリップ１０を被貼着物１１の上に貼着すると、折返し代２４と被貼着物１１との間に差込み口２０が形成される。そして、粘着クリップ１０と被貼着物１１とは前記短冊状の部材２１ａ、２２ａの部分で粘着し、それらに挟まれた三角形の部材２３ａは折り返された斜辺２４の厚さのため被貼着物１１と粘着することなく、空中に浮いた状態となる。
【００１４】
よって、折り返された斜辺２４の下側にできた差込み口２０へ紙片や清め塩の袋のような薄い四角形の差込み物１２が差し込まれると、その角の部分が前記空中に浮いた状態となっている三角形の部分の下側へ差し込まれるから、その部分を上から押さえれば両者が粘着し、差込み物１２が抜け落ちたり傾いたりすることがなくなる。また、紙片を透明なセロハンにすれば差込み物１２に印刷された全ての文字が読み取りやすい。
【００１５】
【発明の効果】
請求項１記載の粘着クリップによれば、粘着クリップ１０は剥離紙１６を剥がす簡単な操作によって被貼着物１１の上に貼着することができる。粘着面を内側にして折返し代２４を折り曲げると、粘着材が付着した略三角形の部材の裏面に粘着しない面を形成することができる。よって、粘着クリップ１０は被貼着物１１の上に貼着されると被貼着物１１との間に差込み物１２を差し込むための、粘着材がついていない差込み口２０が形成されるから、全体に粘着材を塗布した紙片を用いることができる。さらに、使用に際しては、粘着クリップ１０に名刺や袋など差込み物１２を差し込み、上から押える簡単な操作によって差込み物１２を固定することができる。請求項２記載の粘着クリップによれば、請求項１記載の粘着クリップの奏する効果に加え、差込み物１２は長く作られた２個の短冊状の部材によって案内されるので、被貼着物１２の位置決めが容易になる。
【図面の簡単な説明】
【図１】本発明実施の一態様を示す外観図である。
【図２】（ａ）はその要部の平面図である。（ｂ）はその変形例を示す平面図である。
【図３】使用方法を示す工程図である。
【符号の説明】
１０・・・・粘着クリップ
１１・・・・被貼着物（箱、封筒）
１２・・・・差込み物（名刺、清め塩の袋）
１５・・・・台紙（紙片）
１６・・・・剥離紙
２０・・・・差込み口
２１、２２・・・・辺
２１ａ、２２ａ・・・・短冊状の部材
２３・・・・連結辺
２３ａ・・・三角形の部材
２４・・・・折返し辺
２４ａ・・・・上辺
２４ｂ・・・・斜辺
２５・・・・切り込み
【図１】
0004592915.tif 000002
【図２】
0004592915.tif 000003
【図３】
0004592915.tif 000004